(57)【特許請求の範囲】
【請求項１】
ベースに設けた枢軸に、扇形歯車部と扇形歯車部の他の角度領域に形成されたプーリ部と打槌を弾発する発射スプリングを張架するフック部とを一体的に設けた従動歯車と、操作ハンドルの操作に応じて回動される回動カバー体とを回動可能に枢支し、該回動カバー体に前記従動歯車に噛合わせる調節歯車と、該調節歯車を回動カバー体に対し常時は回動を阻止するとともに発射スプリングの強度調節時には回動可能にするロック機構とを設けたものにおいて、
前記調節歯車に周面の所定角度領域に前記従動歯車に噛合わせる調節歯と、それ以外の角度領域に歯のない空転部とを設け、
該調節歯車を所定角度領域でのみ従動歯車と噛合わせて強度調節可能とし、その所定角度領域を越えると従動歯車との噛合わせが外れて従動歯車を元に戻し再調節しうるようにしたことを特徴とするパチンコ球発射装置の発射強度調節装置。
【請求項２】
前記調節歯車として、噛合わせる調節歯の角度領域と歯のない空転部の角度領域を交互に設けた請求項１記載のパチンコ球発射装置の発射強度調節装置。
【発明の詳細な説明】
【０００１】
【発明の属する技術分野】
この発明は操作ハンドルの操作に応じて発射スプリングの伸張度を異ならせるパチンコ球発射装置において、発射スプリングの伸張度すなわち強度を調節する調節歯車と発射スプリングの張力がかかる従動歯車との噛合わせを改良して発射スプリングの強度の再調節を容易としたパチンコ球発射装置の発射強度調節装置に関する。
【０００２】
【従来の技術】
従来、パチンコ球発射装置の発射強度調節装置として、例えば、実開平６−１５６８６号公報のものがある。これは打槌に打撃を与える発射スプリングと操作ハンドルとの間に、ベースに設けた枢軸に扇形歯車部と、扇形歯車部の他の角度領域に形成されたプーリ部と、発射スプリングを張架するフック部とを一体的に設けた従動歯車を回動可能に支持し、操作ハンドルの操作に応じて回動される回動体にその従動歯車に噛合わせる調節歯車を設け、この調節歯車を常時は回動を阻止するとともに発射強度調節時には回動可能にするロック機構を設けたものがある。この構造では、調節歯車は全周に歯を有する歯車で従動歯車の扇形歯車に常時噛合わせる構成であり、発射スプリングの強度を調節する際には、調節摘みを摘んで左方向に引くことにより調節シャフトを左に移動させ回動規制子と固定環の各係合面の係合を解いて調節歯車の回動が許容される。その回動範囲は回動カバーにはスリットが設けられ、そのスリット内に従動歯車のピンが位置していることから、従動歯車の回動カバーに対する回動角度はピンにより規制されている。
【０００３】
【発明が解決しようとする課題】
従来の発射強度調節装置では、発射スプリングの強度を調節する際に調節歯車を回しすぎて強度が強くなり過ぎた時、調節歯車を戻さなければならないが、調節歯車を戻すには調節摘みを摘んで引張り回動規制子と固定環の係合面の係合を外さなければ調節摘みを逆方向へ戻すことができず、しかもその調節摘みには回動規制子と固定環の係合面を係合させるために、ばねの付勢力がかけてあるので、その係合を外すために調節摘みを強く引張りながら逆回しを行わなければならず、逆回しの強度調節が行ないにくく、また回動規制子と固定環の係合面との係合の深さは外部から見ることができないので、作業者は摘みを必要以上の強い力で引張ってしまい、これを繰り返すことにより従動歯車と調節歯車の噛合わせ、回動規制子と固定環の係合面の係合にガタを生ずる原因となり、さらには、調節摘みにかけたばねは調節毎に摘みを前記のように強く引張るために合成樹脂製の弾性片では弱く、折損する恐れがあるため、強度のある金属製のばねを使用する必要があった。
【０００４】
この発明はこのような問題を解決するもので、発射スプリングの強度調節を行うとき、常に一方向に回して調節を行うことができ、調節摘みを回しすぎてスプリングの強度が強くなりすぎた時、調節摘みを引張る必要なく、調節歯車を単に一定方向に回すだけで、調節歯車の噛合わせの領域を越えさせ、一旦従動歯車と調節歯車の噛合わせを外して従動歯車をスプリングにより元に戻し、再度噛合わせて強度調節をし直すことができるようにしたパチンコ球発射装置の発射強度調節装置を提供することを目的とする。
【０００５】
【課題を解決するための手段】
この発明の請求項１のパチンコ球発射装置の発射強度調節装置はベースに設けた枢軸に、扇形歯車部と扇形歯車部の他の角度領域に形成されたプーリ部と打槌を弾発する発射スプリングを張架するフック部とを一体的に設けた従動歯車と、操作ハンドルの操作に応じて回動される回動カバー体とを回動可能に枢支し、該回動カバー体に前記従動歯車に噛合わせる調節歯車と、該調節歯車を回動カバー体に対し常時は回動を阻止するとともに発射スプリングの強度調節時には回動可能にするロック機構とを設けたものにおいて、前記調節歯車に周面の所定角度領域に前記従動歯車に噛合わせる調節歯と、それ以外の角度領域に歯のない空転部とを設け、該調節歯車を所定角度領域でのみ従動歯車と噛合わせて強度調節可能とし、その所定角度領域を越えると従動歯車との噛合わせが外れて従動歯車を元に戻し再調節しうるようにしたことを特徴とするものである。
【０００６】
この構成によれば、調節歯車を回動して調節歯車を従動歯車に噛合わせて所定の角度領域で発射スプリングの強度を調節し、その所定角度領域を越えるとその噛合わせが外れて従動歯車がスプリングの弾発力で瞬時に元に戻り、調節歯車を空転させて再度元に戻した従動歯車に噛合わせて始めから強度調整をし直すことができる。
【０００７】
請求項２の発明は、前記調節歯車として、噛合わせる調節歯の角度領域と歯のない空転部の角度領域を交互に設けたことを特徴とする。
【０００８】
この構成によれば、噛合わせる調節歯の角度領域と歯のない空転部の角度領域を交互に設けて、空転部を狭くしたので、調節歯車が従動歯車から外れて空転する範囲を小さくでき、調節歯車を少し空転させるだけで元に戻した従動歯車に調節歯車を噛合わせて再度強度の調節ができる。
【０００９】
【発明の実施の形態】
この発明の実施形態は、図４に発射強度調節装置を備えたパチンコ球発射装置を示す。
パチンコ球発射装置は、操作ハンドル２０、駆動軸２１、カム２２を備えて操作ハンドル２０に遊戯者の手が触れると駆動軸２１がモータによって回転され、カム２２が同方向に回転される。打槌２３は軸２４を中心に往復回動可能に備え、打槌２３の中央部に発射スプリング７の一端を掛け、かつスプリング７の他端を後述の従動歯車３のフック部６に掛けて打槌２３を常時復帰方向へ付勢し、この打槌の中央部に作動片２５を設け、該作動片２５に前記カム２２を臨ませ、モータの回転によってカム２２を回動し、カム２２で作動片２５を回動して打槌２３を往復動させ打槌２３の打撃部２３ａでパチンコ球を打撃するようにしてある。４０、４１は打槌２３の中央部と下部を受止めるストッパゴムである。
【００１０】
図１乃至図６において、このパチンコ球発射装置の発射強度調節装置Ａの実施形態を示す。ベース１は遊戯盤にねじ等で取付けるもので、その上部に枢軸２を立設し、扇形歯車部４と、扇形歯車部の他の角度領域に形成されたプーリ部５と、発射スプリング７を張架するフック部６とを一体的に設けた従動歯車３と、前記操作ハンドル２０の操作に応じて回動される回動カバー体９を該枢軸２に回動自由に枢支してＥリングによって仮止めが施されている。この回動カバー体９には前記従動歯車３に噛合わせる調節歯車８を備え、この調節歯車８を常時は回動を阻止するとともに発射スプリング７の強度調節時には回動可能とするロック機構１０を設け、又前記回動カバー体９の下部一側にアーム部２６を突設し、その先端に連結軸２７が設けられ、該連結軸２７に操作ハンドル２０に連結した引きワイヤー２８が連結され、操作ハンドル２０を回動操作することにより、回動カバー体９はワイヤー２８により回動できるようにしてある。なお、ベース１には係止突部２９が設けられ、回動カバー体９のアーム部２６が当って回動限界位置で受止めるようにしてある。
【００１１】
この発射強度調節装置Ａにおいて、図１乃至図３の実施形態では、従動歯車３は円周上のほぼ９０度の角度領域に扇形歯車部４を形成し、かつ残りの角度領域にプーリ部５を形成し、さらに扇形歯車部４の終端部にフック部６を一体に形成してあり、このフック部６に掛止め軸６ａを設け、該掛止め軸６ａに前記発射スプリング７に連結した引きワイヤー７ａを掛けてＥリングで止めて連結され、従動歯車３の回動に応じて引きワイヤー７ａを引張り、発射スプリング７の伸張度を調節できるようにしてある。
【００１２】
又前記回動カバー体９の下部には軸受孔３０が形成され、調節軸３１が回動可能で軸方向に摺動可能に備えられ、その軸の内端に調節歯車８が嵌合固定され、軸の外端に調節歯車を回す調節摘み３２が嵌合固定されている。
【００１３】
調節歯車８は図６では円周上の約半周の角度領域に調節歯１１を形成し、かつ残りの半周の角度領域には歯のない空転部１２を形成してある。而して調節歯車８は前記従動歯車３の扇形歯車部４に調節歯１１の角度領域だけ噛合わせて回動でき、空転部１２の領域に入ると従動歯車３との噛合わせが外れ、従動歯車はスプリングの復元力で元の位置に戻され、調節摘みを回しても調節歯車は歯のない範囲で空転するようにしてある。前記実施形態で調節歯車８は径が小径で、調節歯１１と空転部１２とをほぼ半周づつに設けてあるが、これに限られるものではない。
【００１４】
図１０乃至図１２に調節歯車８の別の実施形態を示す。すなわち、調節歯車８の径を大きくして従動歯車３に噛合わせる調節歯１１ａと空転部１２ａを交互に設け、一方の調節歯１１ａを先ず従動歯車３に噛合わせて強度調節を行い、調節摘みを回しすぎた時にはその噛合わせが外れるまで回し、従動歯車はスプリングの復元力で元の位置に戻され、調節歯車は調節歯に続く歯のない空転部１２ａで空転し、その狭い空転域が終ると次の調節歯１１ａが従動歯車３に噛合わされ、再度強度調節を行うことができる。この調節歯車の場合、空転部１２ａを狭くできるので、次の噛合わせを速やくでき、調節摘みの回転が少なくてすむ。
【００１５】
調節歯車のロック機構１０として、調節摘み３２の内部に鋸歯状の環状係合面３４を有する回動阻止子３３が形成され、相対向する回動カバー体９側には鋸歯状の環状係合面３６を有する固定環３５が一体に設けられ、回動カバー体９と調節歯車８間にスプリング３７を介在して常にスプリングによって調節軸３１を付勢して係合面３４と３６を係合させ、調節摘み３２、調節軸３１の回り止めとし、この実施形態では摘みを逆回しはしないので、調節摘みは常に一方向、すなわち図において左回りするようにしてある。
【００１６】
前記実施形態によれば図７、図１１に示すように調節摘み３２を一方向に回して、調節歯車８を従動歯車３の扇形歯車部４に噛合わせて発射スプリングの強度調節を開始する。調節摘み３２を回して例えば図８、図１１の位置で止めることにより発射スプリングを引張って打槌２３の伸張度を大きくセットしてスプリングの強度を強くし、打槌によるパチンコ球の打撃を強くする。強度調節時にこの調節摘み３２を回しすぎて戻したいときは、一旦調節摘み３２を図９、図１２に示すように調節歯車８の調節歯１１が扇形歯車部４の端から外れるまで回して噛合わせを外して調節歯車８を空転させ、この噛合わせが外れると同時に従動歯車３はスプリングの弾発力で元の位置に戻され、この調節歯車を空転領域分回すと再度調節歯１１が扇形歯車部４の端に噛合って回動を始め強度調節を行うことができる。
【００１７】
前記実施形態では、スプリング３７を軸に巻回して備えてあるが、この発明の構造によれば調節摘み３２を引張る必要はないので、回転カバー体と調節歯車間に介在させるスプリングは強度の弱い合成樹脂製の弾性片で充分であり、図１３、図１４に示す実施形態では、回動カバー体９の固定環３５の周囲に一端を自由端とした弾性片３７′を一体に屈曲形成して調節歯車８を押圧するようにしてある。この構造とすれば部品数を少なくできる。
【００１８】
なお、従動歯車、回動カバー体の構成は、上記実施形態に限定されるものではなく、要旨を逸脱しない範囲で変形して実施することができる。
【００１９】
【実施例】
以下にこの発明のパチンコ球発射装置の発射強度調節装置の実施例を説明する。
実施例１
図１乃至図６において、従動歯車３は合成樹脂製で、円周上のほぼ９０度の角度領域に扇形歯車部４を形成し、残りの角度領域に発射スプリング７をかけるプーリ部５を形成し更にそのプーリ部５の終りにフック部６を形成し、フック部６に掛止め軸６ａを設けて、打槌２３にかけた発射スプリング７を従動歯車３のプーリ部５を介してフック部６の掛止め軸６ａに止めて張架してある。調節歯車の周面に設ける調節歯の角度領域を変えれば従動歯車３の回動角度を変えて発射スプリングの最大伸張度を変えることができる。
【００２０】
又回動カバー体９も図６に示すように中央に段部を設けた合成樹脂製長方体で、その上部に枢軸２に軸支する軸受部９ａを形成し、かつ下部に調節摘み３２、調節歯車８の調節軸３１を備える軸受孔３０を設け、かつ下部一端にアーム部２６を突設し、該回動カバー体９を枢軸２に枢支し、かつ回動カバー体９の下部のアーム部２６の連結軸２７と操作ハンドル２０を引きワイヤー２８で連結する。
【００２１】
回動カバー体９に備える調節歯車８は小径で周面の半周に調節歯１１を設け、残りの半周に歯のない空転部１２を形成してあり、これを回動カバー体９の調節軸３１の軸端に取付ける。
【００２２】
この調節歯車８を回動カバー体９にロックするロック機構１０として、調節歯車８と調節軸３１で結合した調節摘み３２の内部に鋸歯状の環状係合面３４を有する回動阻止子３３が結合され、相対向する回動カバー体９側に鋸歯状の環状係合面３６を有する固定環が一体に設けられ、回動カバー体９と調節歯車８間にスプリング３７を介在して常時付勢して係合面３４と３６を係合させ、調節摘み３２の回動時調節摘み３２の回動阻止子３３の係合面が固定環の係合面を乗り越えて一方向へ回動可能としてある。
【００２３】
前記従動歯車３のプーリ部の前面に強度目盛３８を付し、又回動カバー体９の上部に切欠き窓３９を形成し、回動カバー体９に対して調節歯車８で従動歯車３を回動した時切欠き窓３９に強度目盛を表示しうるようにしてある。
【００２４】
図７乃至図９において、発射強度調節装置の噛合わせ始めから、外れるまでを示す。図７および図９のように調節歯車８の半周の調節歯１１の噛合う範囲で調節歯車を一方向に少しづつ回して従動歯車３を回動し、発射スプリング７の伸張度が所望となるまでフック部６を下方へ回動し、スプリング７の強度を強くして打槌２３の弾発力を強く調節する。そして一方向に回してスプリングの強度を強くしすぎたとき、戻すには図９に示すように一旦調節歯車８の調節歯１１が従動歯車３の扇形歯車部４より外れるまで回して噛合わせを外し、噛合わせの外れた従動歯車３はスプリングの復元力で瞬時に最初の位置に戻され、調節摘みを一方向に回して調節歯車８を空転部１２で空転させ、その空転部１２が終って調節歯１１が元に戻した従動歯車３の扇形歯車部４に噛合わされ、再度強度調節をやり直すことができる。
【００２５】
実施例２
図１０乃至図１２に示す実施例では、回動カバー体９に備える調節歯車８を大きい径として調節歯１１ａ、１１ａの間に歯のない空転部１２ａ、１２ａを設け、これを回動カバー体９の調節軸３１の軸端に設ける。図１１に示すように調節歯車８の調節歯１１ａを従動歯車３の扇形歯車部４に噛合わせて強度調節を行い、回しすぎて強度が強くなりすぎたときは、図１２に示すように一旦調節歯が外れるまで回し、噛合わせを外すが、空転領域が狭いので、さらに回せば次の調節歯１１ａがすぐに元に戻した従動歯車３の歯車部４に噛合わされ、再度強度の調節をし直すことができる。空転部１２ａ、１２ａは狭くしたので、調節摘みを回す空転範囲が少なく、調節摘みを何回も回す必要がない。
【００２６】
図１３、図１４に示す実施例は合成樹脂製回動カバー体９の固定環３５の周囲で上下２個所に細長い舌状で屈曲した弾性片３７′を一体形成し、この弾性片３７′を調節歯車８に付勢状としてある。この発明は従来のように調節摘み３２を引張ることがないので、弾性片は合成樹脂で充分であり、しかもこのように一体化することにより部品数を少なくできる。
【００２７】
【発明の効果】
この発明の請求項１のパチンコ球発射装置の発射強度調節装置によれば、発射スプリングの強度を調節する場合に、強度が強すぎたときには調節歯車を単に一定方向に回すだけで、調節歯車の噛合わせを外して従動歯車をスプリングの弾発力で瞬時に元に戻させ、調節歯車を空転して再び調節歯車を噛合わせて従動歯車を回動させ、簡単かつ速やかに強度調節をし直すことができて便利である。
【００２８】
請求項２の発明によれば、噛合わせる調節歯と歯のない空転部を交互に設け、空転部を狭くしたので、調節歯車を回すとき、噛合わせが一端外れ、再度従動歯車に噛合わせるまでの空転が少ないので、調節歯車を回す範囲が少なく、すぐに噛合わせて強度の再調節ができるので、一層便利である。
【図面の簡単な説明】
【図１】この発明の発射強度調節装置を示す一部破断斜視図である。
【図２】調節歯車と従動歯車が噛合った状態の縦断面図である。
【図３】調節歯車と従動歯車の噛合わせが外れた状態の縦断面図である。
【図４】この発明の発射強度調節装置を備えたパチンコ球発射装置を示す背面図である。
【図５】従動歯車の正面図である。
【図６】調節歯車を備えた回動カバー体の背面図である。
【図７】調節歯車と従動歯車との噛合わせ始めの正面図である。
【図８】調節歯車を回して伸張度を大きくした状態とした正面図である。
【図９】調節歯車と従動歯車の噛合わせが外れた状態の正面図である。
【図１０】回転カバー体の調節歯車の別の実施例を示す背面図である。
【図１１】調節歯車と従動歯車とを噛合わせた状態の正面図である。
【図１２】調節歯車と従動歯車を噛合わせが外れた状態の正面図である。
【図１３】弾性片を設けた回動カバー体の要部斜視図である。
【図１４】同断面図である。
【符号の説明】
１…ベース、２…枢軸、３…従動歯車、４…扇形歯車部、５…プーリ部、６…フック部、７…発射スプリング、８…調節歯車、９…回動カバー体、１０…ロック機構、１１…調節歯、１１ａ…調節歯、１２…歯のない空転部、１２ａ…歯のない空転部、Ａ…発射強度調節装置。
【図１】
0003550262.tif 000002
【図２】
0003550262.tif 000003
【図３】
0003550262.tif 000004
【図４】
0003550262.tif 000005
【図５】
0003550262.tif 000006
【図６】
0003550262.tif 000007
【図７】
0003550262.tif 000008
【図８】
0003550262.tif 000009
【図９】
0003550262.tif 000010
【図１０】
0003550262.tif 000011
【図１１】
0003550262.tif 000012
【図１２】
0003550262.tif 000013
【図１３】
0003550262.tif 000014
【図１４】
0003550262.tif 000015